(57)【要約】【課題】バー塗布において、流動スジを発生させないように塗布液をウエブに薄膜塗布することができ、さらに、光学機能性フィルムの製造に好適なバー塗布装置およびバー塗布方法を提供する。【解決手段】連続走行しているウエブに、バー受け部材に支持されて回転する円柱状のバーを用いて塗布液を塗布するバー塗布装置において、前記バーの中心軸のねじれ角βが３６０°／ｍ以下であることを特徴とするバー塗布装置である。【選択図】図２
2008200632.tif 000002
【特許請求の範囲】
【請求項１】
連続走行しているウエブに、バー受け部材に支持されて回転する円柱状のバーを用いて塗布液を塗布するバー塗布装置において、
前記バーの中心軸のねじれ角βが３６０°／ｍ以下であることを特徴とするバー塗布装置。
【請求項２】
前記バーの直径が１ｍｍ〜１５ｍｍ以下の範囲であることを特徴とする請求項１記載のバー塗布装置。
【請求項３】
前記バーの真直度が１ｍあたり２００μｍ以下であることを特徴とする請求項１または２記載のバー塗布装置。
【請求項４】
前記バーの真直度が１ｍあたり１００μｍ以下であることを特徴とする請求項３記載のバー塗布装置。
【請求項５】
駆動中の前記バーの先端の振れ回りが１００μｍ以下であることを特徴とする請求項１から４いずれかに記載のバー塗布装置。
【請求項６】
連続走行しているウエブに、バー受け部材に支持されて回転する円柱状のバーを用いて塗布液を塗布するバー塗布方法において、
前記バーの中心軸のねじれ角βが３６０°／ｍ以下であることを特徴とするバー塗布方法。
【発明の詳細な説明】
【技術分野】
【０００１】
本発明はバー塗布装置及びバー塗布方法に係り、特に直径が１ｍｍ〜１５ｍｍの細径な円柱状のバーによって、連続走行するウエブに塗布液を薄膜塗布するバー塗布装置及びバー塗布方法に関する。
【背景技術】
【０００２】
従来から連続走行しているウエブに塗布液を塗布する方法として、各種の方法が提案されている。例えば、下記の特許文献１には、操作が容易で、かつ多大なスペースを要しないバー塗布方法が記載され、また広く利用されている。このバー塗布方法は、細長いバーを用いるため、ウエブやバーの僅かな振動により、ウエブの走行方向において段状の塗布厚みムラ（以下、段状ムラという）が発生し易い。そのため、この対策として本出願人は、特許文献２において、ウエブとバーのラップ角度を２．５〜３０°にすると共に、バー断面の最大径をＲｂ、バー支持部材のバー受け部断面の円弧の曲率半径をＲｈとしたときに、Ｒｂ／Ｒｈが０．９〜１．０の範囲であり、かつ、バー支持部材のバーホールド角を９０°以上１８０°以下にするバー塗布方法を提案した。これにより、段状ムラを解決することができた。
【０００３】
しかしながら、特許文献２のバー塗布方法を使用しても、ウエブに塗布液が塗布された塗布膜面に、バーの１回転周期で発生するウエブの幅方向に出る横段状ムラ、塗布液の流動に起因する不連続な流動ムラ、ウエブ長手方向（搬送方向）に直線状に出る縦スジ等の塗布故障を発生する場合があった。特に、光学補償フィルム等の光学機能性フィルムの製造における塗布のように、ウエブに塗布される湿潤膜厚が１５μｍ以下の薄膜塗布においては、塗布後のレベリング効果が得られにくいために、これらの塗布故障が顕在化し易く問題であった。
【０００４】
そのため、下記の特許文献３には、バー受け部材のバー支持面をバーに対して特定の関係を有する形状にすることで、バーのバー支持面に対するホールド性を確保することができ、さらに、振れ回りによりバーがバー支持面のエッジに当たり難くすることができることが開示されている。連続走行するウエブにバーで塗布液を塗布する場合、バーは軸芯を中心に完全な円形を描いて回転するのではなく、バーにラップして走行するウエブの振動やバー自体の振動、バーの僅かな撓み等によりバーの振れ回り（揺れながら回転する）が発生している。バー受け部材のバー支持面を特許文献３に記載されているような所定の形状とすることにより、塗布故障を軽減できることができた。
【特許文献１】特公昭５８−４５８９号公報
【特許文献２】特開平９−２０１５６３号公報
【特許文献３】特開２００６−８２０５９号公報
【発明の開示】
【発明が解決しようとする課題】
【０００５】
しかしながら、特許文献３に記載されているようにバー受け部材の真直度を調整しても、バーによっては流動スジが発生していた。このことから、バーの形状観察によりバーのねじれ角が影響していることが確認された。本発明は、かかる知見に基づいて成されたものである。
【０００６】
本発明はこのような事情に鑑みてなされたものであり、バー塗布において、流動スジを発生させないように塗布液をウエブに薄膜塗布することを目的とする。さらに、薄膜塗布することができるので、例えば光学機能性フィルムの製造に好適なバー塗布装置およびバー塗布方法を提供することを目的とする。
【課題を解決するための手段】
【０００７】
本発明の請求項１は、前記目的を達成するために、連続走行しているウエブに、バー受け部材に支持されて回転する円柱状のバーを用いて塗布液を塗布するバー塗布装置において、前記バーの中心軸のねじれ角βが３６０°／ｍ以下であることを特徴とするバー塗布装置を提供する。
【０００８】
請求項１によれば、バーの中心軸のねじれ角βが、３６０°／ｍ以下であるため、バーによる塗布液の塗布をウエブの幅方向に均一の圧力で行うことができる。したがって流動スジの発生を抑制することができる。
【０００９】
なお、本発明において、ねじれ角とは、測定部分のバーの振れを考慮して仮想断面を任意に決定する。この仮想断面の中心を理想中心とし、この理想中心から測定断面の半径の最大値の振れを測定する。測定断面は、５〜１００ｍｍの測定ピッチで測定を行い、そして、三次元的な螺旋上に分布している測定断面の円周の半径の最大値の点を、バーの円形断面に投影した円筒座標系における角度を求めるものである。
【００１０】
図１は本発明のバー塗布装置に用いられるバー２０の部分斜視図である。図２はねじれの無いバー１２０の正面図および側面図（Ａ）、ねじれの有るバー２０の正面図および側面図（Ｂ）である。図１および図２（Ｂ）に示すように、仮想断面１９はバーの振れを考慮し、そのバーが振れたときの中心となるように決定し、その仮想断面１９の中心を理想中心２１とする。図２（Ｂ）に示すバー２０は、バー全体のねじれ角が５４０°あるバーであり、このねじれ角の３６０°以内のバーの長さが１ｍ以内である。
【００１１】
請求項２は請求項１において、前記バーの直径が１ｍｍ〜１５ｍｍ以下の範囲であることを特徴とする。
【００１２】
上記範囲のような細い直径のバーは撓みやすく、振れ回りしやすく、またねじれやすいため、本発明の効果が一層発揮されるため、より効果的である。
【００１３】
請求項３は請求項１または２において、前記バーの真直度が１ｍあたり２００μｍ以下であることを特徴とする。また、請求項４は請求項３において、前記バーの真直度が１ｍあたり１００μｍ以下であることを特徴とする。
【００１４】
請求項３によれば、バーの単位長さあたりの真直度が２００μｍ以下であるため、直線性を維持することができる。したがって、バーがウエブに対してウエブの幅方向に同じ圧力で塗布液を塗布することができるので、流動スジの発生を抑制することができる。さらに、バーの真直度は単位長さあたり１００μｍ以下であることが好ましい。１００μｍ以下とすることにより、さらに流動スジの発生を抑制することができる。
【００１５】
請求項５は請求項１から４において、駆動中の前記バーの先端の振れ回りが１００μｍ以下であることを特徴とする。
【００１６】
請求項５によれば、塗布装置の駆動中において、バーの先端の振れ回りが１００μｍ以下であるため、駆動中にバーのウエブに対する圧力が極端に変化することなく塗布することができる。したがって、流動スジの発生を抑制することができる。
【００１７】
請求項６は前記目的を達成するために、連続走行しているウエブに、バー受け部材に支持されて回転する円柱状のバーを用いて塗布液を塗布するバー塗布方法において、前記バーの中心軸のねじれ角βが３６０°／ｍ以下であることを特徴とするバー塗布方法を提供する。
【００１８】
請求項６は、請求項１のバー塗布装置をバー塗布方法として展開したものである。請求項６によれば、請求項１と同様の効果を得ることができる。
【発明の効果】
【００１９】
本発明によれば、流動スジの塗布故障を発生させないように塗布液をウエブに薄膜塗布することができる。したがって、本発明のバー塗布装置およびバー塗布方法は、例えば、光学機能性フィルムの製造のように、薄膜塗布における塗布膜面の表面性を改善する上で極めて効果的である。
【発明を実施するための最良の形態】
【００２０】
以下、添付図面に従って、本発明に係るバー塗布装置及びバー塗布方法の好ましい実施の形態について詳説する。
【００２１】
図３は本発明の実施態様を示すバー塗布装置の側面断面図であり、図４はバー塗布ヘッドの一部を断面で示した斜視図である。
【００２２】
図３及び図４に示すように、バー塗布装置１０は、バー塗布ヘッド１２を挟んでウエブ走行方向の上流側と下流側とに設けられた一対外のガイドローラ１４、１６によりウエブ１８がバー塗布ヘッド１２のバー２０にラップされた状態で塗布液が塗布される。
【００２３】
バー塗布ヘッド１２は、主として、両端が図示しない軸受により回転自在に支持されたバー２０と、そのバー２０の全長にわたって設けられ、バー２０に撓みが生ずるのを防止すると共にバー２０へ塗布液を供給する給液器としての機能を備えたバー受け部材２２と、バー受け部材２２との間に塗布液の給液路２４、２６を形成する上流側堰部材２８と下流側堰部材３０とで構成される。給液路２４、２６は、マニホールド３２とスロット３４とで構成され、マニホールド３２に給液された塗布液がスロット３４を介してウエブ１８の幅方向に均一に押し出される。これにより、バー２０に対してウエブ１８の搬送方向の上流側（以下、１次側という）には１次側ビード３６が形成され、下流側（以下、２次側という）には２次側ビード３８が形成される。この２次側ビード３８はバー２０とバー受け部材２２との間に空気を巻き込まないように作用する。これら１次側と２次側のビード３６，３８を形成する塗布液が回転するバー２０によってピックアップされることにより、バー２０にラップして連続走行するウエブ１８に塗布される。また、給液路２４、２６から１次側と２次側のビード３６，３８に供給された塗布液のうち余剰の塗布液は堰部材２８、３０の外側２８Ａ、３０Ａを流下する。
【００２４】
バー２０の回転は、ウエブ１８の走行によって従動回転する場合、駆動源を設けて回転駆動する場合の何れでも良く、また回転駆動する方向はウエブ１８の走行方向と同方法への回転でも、逆方向への回転でもよい。バー２０の種類としては、ワイヤーバー、溝切りバー、フラットバーを好適に使用することができ、特に光学補償フィルム等の光学機能性フィルムの製造のように、ウエブ１８に塗布する湿潤膜厚が１５μｍ以下の薄膜塗布には、塗布量を精度良く制御し易いため薄膜塗布に好適であるワイヤーバーを用いることが好ましい。ワイヤーバー２０は、図５に示すように、円柱状の芯金４０の表面にワイヤー４２を巻回してワイヤ列４４を形成することで作成することができる。ワイヤーバー２０は、図６に示すように、ワイヤー４２の太さを変えることで、ワイヤ列４４のワイヤー４２同士の間に保持する塗布液量を変えることができるため、所望厚みの塗布膜を精度良く塗布することができる。
【００２５】
次に、上記の如く構成されたバー塗布装置１０によりウエブ１８に塗布液を塗布する方法を説明する。
【００２６】
塗布液は塗布ヘッド１２の給液路２４，２６内に供給されて１次側と２次側のビード３６、３８を形成し、回転するバー２０によってピックアップされウエブ１８に塗布される。この際、ウエブ１８とバー２０との接触部において塗布液の計量がおこなわれて所望の塗布量のみがウエブ１８に塗布され、他は堰部材２８，３０の外側面に沿って流下する。即ち、バー塗布においては、塗布液はビード３６、３８を介してウエブ１８に塗布されることになる。
【００２７】
塗布液はビード３６、３８を形成し適切に維持してゆくためには、バー２０によりピックアップされる塗布液量Ｑ１がウエブ１８に塗布される塗布液量Ｑ２と等しいか、或いはこれより大であることが要求される。一般にＱ１＞Ｑ２であれば、１次側ビード３６への塗布液のインプットがアウトプットより大となるから、１次側ビード３６の大きさを一定に保つ場合は、この過剰の塗布液が１次側ビード３６外へ流出する。即ち、バー２０により掻き落された過剰の塗布液の一部は堰部材２８を越えて溢れ、堰部材２８の外側面に沿って流下する。こうして溢れ流下した塗布液は回収され、再び塗布液として再使用されることになる。
【００２８】
また、バー２０の回転があまり大きくなると、塗布液の種類によっては、バー２０とウエブ１８の下流側接触部近傍に泡が停留して塗布故障を発生したりすることがある。この泡はバー２０とバー受け部材２２との間に存在する空気がバー２０の回転により巻き込まれて発生するものと考えられるので、これを防止するために、図３に示す如くバー２０の下流側においても、バー２０に向けて塗布液を供給し、堰部材３０よりオーバフローさせて、泡防止用の２次側ビード３８を形成させて、空気が上流側へ巻き込まれないようにすることが好ましい。
【００２９】
本発明において、用いられる塗布液はとくに限定されるものではなく、高分子化合物の水又は有機溶媒液，顔料水分散液，コロイド溶液等を利用することができる。また塗布液の物性も特に限定されるものではないが、粘度は低い方が好ましく、１００ｃｐ以下、とくに５０ｃｐ以下の塗布液が好ましい。表面張力も特に限定されないが、５０ｄｙｎｅ／ｃｍ以下とすることにより、特に好ましい結果を得ることができる。
【００３０】
また、本発明において用いられるウエブ１８としては、紙、プラスチックフィルム，レジンコーティッド紙，合成紙等が包含される。プラスチックフィルムの材質としては、例えば、ポリエチレン，ポリプロピレン等のポリオレフィン、ポリ酢酸ビニル，ポリ塩化ビニル，ポリスチレン等のビニル重合体、６，６−ナイロン，６−ナイロン等のポリアミド、ポリエチレンテレフタレート，ポリエチレン−２，６−ナフタレート等のポリエステル、ポリカーボネート、ヘルローストリアセテート，セルロースダイアセテート等のセルロースアセテート等が使用される。またレジンコーティッド紙に用いる樹脂としては、ポリエチレンをはじめとするポリオレフィンが代表的であるが、必ずしもこれに限定されない。ウエブの厚みも特に限定されないが、０．０１ｍｍ〜１．０ｍｍ程度のものが取扱い，汎用性の点から好ましい。
【００３１】
本発明において使用されるバー２０は、フラットバー、ワイヤーバー、溝切りバーの何れを用いることができるが、バーの中心軸のねじれ角βが３６０°／ｍ以下である。中心軸のねじれ角βが３６０°／ｍ以下とすることにより、塗布液の塗布をウエブに対して均一の圧力で行うことができるので、流動スジの発生を抑制することができる。ねじれ角βが３６０°／ｍ以上であると、バーとウエブが複数の点、例えばねじれ角０°と３６０°の点で圧力が高くなり、逆に１８０°の点で圧力が低くなるため、流動スジが発生しやすくなる。また、ねじれ角が３６０°以上あっても、そのバーの長さが１ｍ以内であれば、バーとウエブの圧力に差があまりみられないため、流動スジの発生を抑制することができる。
【００３２】
さらに、バー２０は１ｍあたりの真直度が２００μｍ以下が好ましく、より好ましくは１００μｍ以下である。真直度を上記範囲とすることにより、バーの直線性が保たれるので、ウエブに対して一定の圧力で塗布することができるため、流動スジの発生を抑制することができる。単位長さあたりの真直度が、２００μｍを超える場合は、バーの直線性が得られないため、ウエブにかかる圧力が一定にならず、ウエブに流動スジが発生しやすくなる。
【００３３】
さらに、駆動中のバーの先端の振れ回りが１００μｍ以下であることが好ましく、より好ましくは８０μｍであり、さらに好ましくは６０μｍである。バーの振れ回りが１００μｍ以下であると、バーの駆動中においても、バーとウエブが極端に離れることがなくなるため、一定の圧力で塗布液を塗布することができるため、流動スジの発生を抑制することができる。
【００３４】
本発明においてワイヤーバーを使用する場合、バー２０の直径は１ｍｍ〜１５ｍｍの範囲が好ましく、より好ましくは５ｍｍ〜１０ｍｍである。また、バー２０は長さが２ｍ以内のバーを使用することが好ましい。バー２０が細長いため、長さが２ｍを超えると回転時に撓みに起因する振れ回りが発生しやすくなり、流動スジが発生しやすくなるからである。また、直径が１ｍｍ未満のバーは、直径が細いため、製作上困難であるため、好ましくない。ワイヤー４２の径は０．０６〜０．４ｍｍが好ましく、より好ましくは０．０６〜０．２ｍｍである。これより大きいと塗布量が多くなりすぎ、高速薄膜塗布に有効なバー塗布法の使用法として適切ではない。また、これより小さいとワイヤー４２を巻いて高精度なワイヤーバーを製作することが困難になると共に強度的にも問題が出てくるため好ましくない。ワイヤー４２の材質としては金属が用いられるが、耐蝕性，耐摩耗性，強度等の観点からステンレス鋼が最も適している。このワイヤー４２には更に耐摩耗性を向上させるため、表面にメッキを施すことも出来る。とくにハードクロムメッキが適している。
【００３５】
このように、バー径１ｍｍ〜１５ｍｍ、ワイヤー径０．０６〜０．４ｍｍのワイヤーバーで粘度２ｃＰの塗布液をウエブ１８に塗布して湿潤厚みが５〜１５μｍの薄膜な塗布膜を得ることができる。
【００３６】
また、溝切りバーを使用する場合においても、バーの直径は１ｍｍ〜１５ｍｍが好ましく、より好ましくは１ｍｍ〜１０ｍｍである。また、溝のピッチは０．１〜０．５ｍｍ、好ましくは０．２〜０．３ｍｍが適当であり、断面形状としては正弦曲線に近似したものが特に適している。しかしながら、断面形状は特に限定されず、他の断面形状を使用することも可能である。
【００３７】
一般に溝切りバーとワイヤーバーとは一定の対応関係があり、それぞれ断面における凸部の頂を結んだ線より下方にある室間の単位長さ当りの面積が等しい場合に、同一条件下における同一塗布量の塗布に適しているとされている。したがってこのような対応関係に基づき、ワイヤーバーにおける知見より適切な薄切りバーを選定することができる。バー２０の材質としては、耐蝕性，強度の面より金属が好ましく、とくにステンレス鋼が適している。また溝切りバーの材質としては、耐蝕性，強度，耐摩耗性の面より金属とくにステンレス鋼が適している。
【００３８】
次に、上記のようなバーの中心軸のねじれ角βが３６０°／ｍ以下であるバーの製造方法について説明する。
【００３９】
従来のバーは、つるまき状鋼から切り出した丸棒の凹凸形状を、スパロール加工で是正することにより製造していた。しかし、本発明のバーの中心軸のねじれ角βが３６０°／以下であるバーは、従来の製造方法に、更に丸棒矯正機（ロール矯正機）を用いることでねじれ形状を是正し製造した。
【００４０】
バー受け部材２２はバー２０が高速で回転するため、バー（ワイヤーバーにあってはワイヤー）２０との間の摩擦抵抗が小さい材質のものが好ましく用いられる。本発明に好ましく用いられるバー受け部材２２の材質としては、例えば、フッ素樹脂、ポリアセタール樹脂、ポリエチレン樹脂、ポリスチレン樹脂等を挙げることができ、これらのうちでもテフロン（米国ＤｕＰｏｎｔ社商品名）の名で知られるポリテトラフルオルエチレン、デルリン（米国ＤｕＰｏｎｔ社商品名）の名で知られるポリアセタール樹脂が摩擦係数，強度の点で特に好ましい。更に、これらのプラスチック材料にグラスファイバー、グラファイト、二硫化モルブデン等の充填剤を添加したものも用いることができる。更には、バー受け部材２２を金属材料で製作した後、その表面に前述の如きプラスチック材料をコーティングしたり、貼り付けたりして、バー２０との間の摩擦係数を小さくさせることもできる。あるいは、各種金属材料に前述の如きプラスチック材料を含浸させたもの、例えば、アルミニウムにポリテトラフルオルエチレンを含浸させたものをバー支持部材に用いることもできる。
【００４１】
本発明において、ビード３６、３８の好ましい大きさは、塗布条件により異なるが、これは塗布液の粘度等の物性、バー２０の構造と回転速度、ウエブ１８の走行速度等により変化する。したがって、ビード３６、３８の大きさ自身を規定することに意義はなく、
むしろこれらのパラメータをいかに選ぶかを検討することが大切である。これらの条件をいかに選択すべきかは、複数のパラメータが複雑にからみ合っているため、結局のところ実験により決定すべきである。一般的に述べると、バー２０の回転周速度Ｖｂとウエブ１８の走行速度Ｖｗの相対比Ｖｂ／Ｖｗは１であることがおおく、この相対比を１とした場合、塗布液の粘度が小さい程、またバー径が小さい程、塗布におけるＶｗの限界速度が大きくなる傾向にある。しかし、粘度を下げることを目的とした塗布液の密度低下や、バーの小径化は乾燥ムラの悪化やバーの振れ回りを発生させるため、塗布液の粘度やバー径の最適な組み合わせを検討することが必要である。
【００４２】
図７は、本発明のバー塗布装置１０を組み込んだ光学補償シートの製造ライン８０である。
【００４３】
光学機能フィルムの製造ライン８０は、図７に示されるように、送出機８２から予め配向膜形成用のポリマー層が形成された透明支持体であるウエブ１８が送り出される。次に、ウエブ１８はガイドローラ８４によってガイドされてラビング処理装置８６に送りこまれ、ラビングローラ８８は、ポリマー層にラビング処理が施される。ラビングローラ８８の下流には除塵機９０が設けられており、ウエブ１８の表面に付着した塵を取り除く。除塵機９０の下流には本発明のバー塗布ヘッド１２が設けられており、ディスコネマティック液晶を含む塗布液がウエブ１８に塗布される。塗布ヘッド１２の下流には、乾燥ゾーン９２、加熱ゾーン９４が順次設けられており、ウエブ１８上の塗布液が乾燥・加熱されて液晶層が形成される。更に、この下流には紫外線ランプ９６が設けられており、紫外線照射により、液晶を架橋させ、所望のポリマーを形成する。これにより、光学補償フィルムが製造され、製造された光学補償フィルムは巻取機９８に巻き取られる。
【００４４】
図８にねじれ角（振れ）測定機１００の概略図を示す。ねじれ角測定機１００は、測定物１０７の撓みを排除し測定するため、測定物１０７を鉛直方向に配置し、糸１０３で吊るしながら測定を行う。また、上下の両方を上部振れ防止ホルダー１０６および下部振れ防止ホルダー１１０で固定して測定することが好ましい。回転駆動用モーター１１２を用いて測定物１０７を回転させ、非接触センサー１０９により、測定物１０７の振れを測定して、ねじれ角を求める。なお、図８は非接触のレーザー変位計を用いているが、接触式のダイヤルゲージやテーパーゲージを使用することもできる。
【実施例】
【００４５】
実施例により本発明の効果を更に説明する。図７に示した本発明のバー塗布装置１０を組み込んだ光学補償フィルムの製造ライン８０により光学補償フィルムを以下の条件で製造した。
【００４６】
ウエブ１８は厚さ１００μｍのトリアセチルセルロース（フジタック、富士フイルム（株）製）の表面に長鎖アルキル変性ポバールの２重量％溶液をフィルム１ｍ２当たり２５ｍｌになるように塗布後、６０℃で１分間乾燥させて配向膜用樹脂層を形成したものを使用した。このウエブ１８を送出機８２から送り出すと共に５０ｍ／分で搬送しながらラビング処理装置８６によって配向膜用樹脂層表面にラビング処理を行って配向膜を形成した。ラビング処理におけるラビングローラ８８の押し付け圧力を、配向膜樹脂層の１ｃｍ２あたり１０ｋｇｆ／ｃｍ２にすると共に、回転周速を５．０ｍ／秒にした。
【００４７】
そして、配向膜用樹脂層をラビング処理して得られた配向膜上に、本発明のバー塗布装置１０を使用して塗布液を塗布した。塗布液は、下記に示すディスコティック化合物ＴＥ−８のＲ（１）とＲ（２）の重量比で４：１の混合物に対し、エチレンオキサイド変性トリメチロールプロパントリアクリレート（Ｖ♯３６０、大阪有機科学（株）製）を１０重量％、セルロースアセテートブチレート（ＣＡＢ５３１−１、イーストマンケミカル社製）を０．６重量％、光重合開始剤（イルガキュア９０７、日本チバガイギー（株）製）を３重量％、増感剤（カヤキュアーＤＥＴ−Ｘ、日本化薬（株）製）を１重量％、添加し、最終的にその混合物の３２重量％メチルエチルケトン溶液とした。その液晶性化合物を含む液に、さらにフッ素系界面活性剤（フルオロ脂肪族基含有共重合体、メガファックＦ７８０、大日本インキ（株）製）を０．３重量％添加し、塗布液として使用した。
【００４８】
【化１】
2008200632.tif 000003
【００４９】
そして、真直度がバー１ｍ当たり０．１ｍｍのバー支持面に、バー径６ｍｍ〜１６ｍｍ及びワイヤー径０．０６ｍｍのワイヤーバー２０を支持すると共に、ウエブ１８を走行速度１０〜５０ｍ／分、ウエブテンション１００〜５００Ｎで走行させながらワイヤーバー２０も同速で順回転させ、バー塗布ヘッド１２から塗布液をウエブ１ｍ２当たり５ｍｌ（湿潤膜厚５μｍ）になるように配向膜上に塗布した。
【００５０】
このバー受け部材２２を有するバー塗布ヘッド１２で塗布液が塗布されたウエブ１８は、１００℃に調整された乾燥ゾーン９２及び、１３０℃に調整された加熱ゾーン９４を通過させてネマチック相を形成した後、この配向膜及び液晶性化合物相が塗布されたウエブ１８を連続搬送しながら、液晶層の表面に紫外線ランプ９６により紫外線を照射した。これにより、光学補償フィルムを製造した。
【００５１】
バーを変更して、光学補償フィルムを製造し、実施例１〜１１および比較例１〜６とした。バーの条件・結果を図９に示す。なお、振れの測定には非接触のレーザー変位計（ＬＳ−７０３０Ｒ、ＫＥＹＥＮＣＥ）を用い、真円度の最大値及びバーのねじれ角の測定の精度を高めた。
【００５２】
（評価方法）
評価項目はバー２０の１回転周期でウエブ１８の幅方向に発生する流動スジを目視により評価し、以下の記号により図９に示す。
【００５３】
◎・・・・・製造品質上極めて好ましい
○・・・・・製造品質を満たす
△・・・・・製造品質は満たすが、○よりやや劣る
×・・・・・製造品質を満たさず、不合格となる
図９から分かるように、バーのねじれ角β≦３６０°を満足することにより、流動スジの発生を抑制することができ、塗布故障を改善することができた。バーの振れ値が１００μｍ以上、真直度が１００μｍ以上またはバー直径が１５ｍｍより大きい実施例７から１１においては、品質は劣るが、製造品質を満たし、振れ値、真直度によらず、バーのねじれ角β≦３６０°を満足することにより、発生を抑制することができることが確認された。これにより塗布液をウエブ１８に均一に薄膜塗布することができる。従って、本発明は、例えば光学機能性フィルムの製造のように薄膜塗布における塗布膜面の表面性を改善する上で極めて有効である。
【図面の簡単な説明】
【００５４】
【図１】本発明のバー塗布装置に用いられるバーの部分斜視図である
【図２】（Ａ）ねじれの無いバー、（Ｂ）ねじれの有るバーの正面図および側面図である
【図３】本発明のバー塗布装置の側面断面図である
【図４】本発明のバー塗布装置の一部を断面で示した斜視図である
【図５】ワイヤーバーの説明図である
【図６】ワイヤーバーにおける塗布液調整の説明図である
【図７】本発明のバー塗布装置を組み込んだ光学補償シートの製造ラインの説明図である
【図８】ねじれ角(振れ)測定機の概略図である
【図９】実施例の結果を示す図である
【符号の説明】
【００５５】
１０…バー塗布装置、１２…バー塗布ヘッド、１４、１６…ガイドローラ、１８…ウエブ、１９…仮想断面、２０、１２０…バー、２１…理想中心、２２…バー受け部材、２４、２６…給液路、２８…上流側堰部材、３０…下流側堰部材、３２…マニホールド、３４…スロット、３６…１次側ビード、３８…２次側ビード、４０…ワイヤーバーの芯金、４２…ワイヤー、４４…ワイヤ列、１００…ねじれ角（振れ）測定機、１０１…支柱、１０２…糸吊用梁、１０３…糸、１０４…より防止ベアリング、１０５…棒材接続カップリング、１０６…上部振れ防止ホルダー、１０７…測定物、１０８…センサー移動ガイド、１０９…非接触センサー、１１０…下部振れ防止ホルダー、１１１…チャック装置、１１２…回転駆動用モータ、１１３…制御用シーケンサ、１１４…表示装置兼解析装置、β…ねじれ角、Ｒ…振れ最大値
【図１】
2008200632.tif 000004
【図２】
2008200632.tif 000005
【図３】
2008200632.tif 000006
【図４】
2008200632.tif 000007
【図５】
2008200632.tif 000008
【図６】
2008200632.tif 000009
【図７】
2008200632.tif 000010
【図８】
2008200632.tif 000011
【図９】
2008200632.tif 000012